(57)【要約】【課題】機能性、デザイン性に優れ、かつ使い勝手に優れた光る香水容器を提供する。【解決手段】香水容器１０は、容器本体１１の底部が平面状に形成され、容器本体１１のうちの少なくとも底部を除いた部位が光透過可能な素材で形成され、この容器本体１１内に光センサー３６が内蔵されるとともに、底部に形成された光取入孔２８に光センサー３６が臨ませられており、この光センサー３６の光検知信号に基づいて発光する発光体３５が容器本体１１に内蔵されている。この香水容器１０は、底部が化粧台等の表面に接触させた状態から持ち上げられたとき、底部の光取入孔２８に差込む光を光センサー３６が検知し、光センサー３６の検知信号に基づいて発光体３５が発光して容器本体１１が光るようになる。【選択図】　図２
2004008480.tif 000002
【特許請求の範囲】
【請求項１】
容器本体内に香水タンクを収容し、この香水タンクの取出口にポンプを介して取出ホースを連通し、この取出ホースの先端を容器本体の開口に臨ませ、前記ポンプの操作スイッチを容器本体の表面に配設し、
前記容器本体の少なくとも底部を除いた表面部位を光透過性素材で形成し、容器本体の底部に形成した光取入孔に光センサーを臨ませ、この光センサーから発せられる光検知信号に基づいて発光する発光体を容器本体内に配設したことを特徴とする光る香水容器。
【請求項２】
容器本体の底部が平面状に形成されていることを特徴とする請求項１記載の光る香水容器。
【請求項３】
前記ポンプの操作スイッチは、容器本体の底部に設けられていることを特徴とする請求項１又は２記載の光る香水容器。
【請求項４】
容器本体のうちの底部を除いた部位を構成する外装ケーシングと、容器本体の底部を構成する底蓋とで容器本体を形成し、この底蓋と外装ケーシングとを着脱自在に組み合わせ、容器本体内には香水タンクを保持するホルダーが備えられていることを特徴とする請求項１乃至３のいずれかに記載の光る香水容器。
【請求項５】
前記底蓋に外装ケーシングを係止した際に、外装ケーシングと、前記香水タンク及びホルダーとの間に隙間が形成されるようになっていることを特徴とする請求項１乃至４のいずれかに記載の光る香水容器。
【請求項６】
前記外装ケーシングが流線形に形成されていることを特徴とする請求項１乃至５のいずれかに記載の光る香水容器。
【請求項７】
前記底蓋は、外装ケーシングの内側に組み付けられるようになっていることを特徴とする請求項１乃至６のいずれかに記載の光る香水容器。
【発明の詳細な説明】
【０００１】
【発明の属する技術分野】
本発明は光る香水容器に係り、特に、容器本体に備えた操作スイッチを操作することにより、ノズルの噴霧口から香水液を噴霧できるように構成した香水容器であって、香水容器を載置状態から手で持ち上げた状態にすると、容器本体が明るく光る画期的な形態の香水容器に関する。
【０００２】
【従来の技術】
従来の香水容器は、容器本体の取出口に取り付けたポンプで、容器本体内の香水液を噴霧口から噴霧させている。
この従来の香水容器の不使用時には、香水容器を化粧台等に載置しておき、香水容器の使用時には、この香水容器を化粧台から持ち上げて操作スイッチを操作して、香水液を噴霧させていた。
【０００３】
【発明が解決しようとする課題】
この香水容器を構成する容器本体としては、一般的にビン等からなる容器が使用され、香水液のイメージに合わせてその容器形状のデザインを工夫していた。しかしながら、容器のデザインを工夫するにしても限度があり、使い勝手を維持しながら、現状の容器よりも機能性、デザイン性に優れた香水容器の出現が望まれていた。
【０００４】
本発明は、機能性、デザイン性に優れ、かつ使い勝手にも優れた光る香水容器を提供して、上述の全ての問題点を解消しようとするものである。
【０００５】
【課題を解決するための手段】
上記目的を達成するために請求項１は、容器本体内に香水タンクを収容し、この香水タンクの取出口にポンプを介して取出ホースを連通し、この取出ホースの先端を容器本体の開口に臨ませ、前記ポンプの操作スイッチを容器本体の表面に配設し、前記容器本体の少なくとも底部を除いた表面部位を光透過性素材で形成し、容器本体の底部に形成した光取入孔に光センサーを臨ませ、この光センサーから発せられる光検知信号に基づいて発光する発光体を容器本体内に配設したことを特徴とする。
【０００６】
上記した本発明に係る光る香水容器によれば、香水容器を持ち上げた際には、光センサーが自動的に光を検知し、光センサーから発せられる検知信号に基づいて発光体が発光し、その発光体の光で容器本体の全体又は一部が光り、画期的な香水容器が得られることとなる。
【０００７】
請求項２の発明は、容器本体の底部が平面状に形成されていることを特徴とする請求項１記載の光る香水容器である。
【０００８】
請求項２の発明によれば、容器本体を安定的に、最も美しい状態で化粧台等の上に載置できるようになる。
【０００９】
請求項３の発明は、前記ポンプの操作スイッチは、容器本体の底部に設けられていることを特徴とする請求項１又は２記載の光る香水容器である。
【００１０】
香水液を噴霧するための操作スイッチを容器本体の底部に設けることで、香水容器を化粧台に載置した際に、操作スイッチを外部から見えないように隠して、香水容器の外観性を高めることができ、かつ容器本体を持ち上げない限りみだりに容器本体が光ることもなく、このため容器本体が光る際の作動の正確性が確保できることとなる。
【００１１】
請求項４の発明は、容器本体のうちの底部を除いた部位を構成する外装ケーシングと、容器本体の底部を構成する底蓋とで容器本体を形成し、この底蓋と外装ケーシングとを着脱自在に組み合わせ、容器本体内には香水タンクを保持するホルダーが備えられていることを特徴とする請求項１乃至３のいずれかに記載の光る香水容器である。
【００１２】
容器本体を外装ケーシングと底蓋とで構成し、外装ケーシングに底蓋を係止した際に、外装ケーシングと底蓋との間にホルダーを固定し、このホルダーを介して香水タンクを容器本体の内部に収容できるように構成した。
このように、容器本体を外装ケーシングと底蓋とに分割することで、外装ケーシングに底蓋を組み付ける際に、ホルダーを容器本体内に備えることができ、さらにこのホルダーを利用して、香水タンクを容器本体内に安定状態で確実に収容
することができる。
【００１３】
請求項５の発明は、前記底蓋に外装ケーシングを係止した際に、外装ケーシングと、前記香水タンク及びホルダーとの間に隙間が形成されるようになっていることを特徴とする請求項１乃至４のいずれかに記載の光る香水容器である。
【００１４】
外装ケーシングと、香水タンク及びホルダーとの間に所定間隔の隙間を形成することで、外装ケーシング、香水タンクやホルダー等の各部材の製造公差及び組み付け時の操作スペースをこの隙間で吸収することができ、組み付け時の操作容易性も確保される。
【００１５】
請求項６の発明は、前記外装ケーシングが流線形に形成されていることを特徴とする請求項１乃至５のいずれかに記載の光る香水容器である。
【００１６】
外装ケーシングを流線形に形成することで、容器本体を外観性に優れたものとすることができ、さらに容器本体を手で掴みやすい形状にして使い勝手に優れた光る香水容器を得ることができるようになった。
【００１７】
請求項７の発明は、前記底蓋は、外装ケーシングの内側に組み付けられるようになっていることを特徴とする請求項１乃至６のいずれかに記載の光る香水容器である。
【００１８】
底蓋を外装ケーシングの内側に組み付けることで、化粧台に光る香水容器を載置した際に底蓋を外装ケーシングで隠すことができ、香水容器の外観性を高めることができる。
【００１９】
【発明の実施の形態】
以下添付図面に基づいて、本発明に係る光る香水容器の一実施の形態を詳説する。
図１は本発明に係る光る香水容器の縦断面図、図２は同分解斜視図、図３は同分解縦断面図、図４は本発明の作用を示す要部拡大図、図５及び図６は、それぞれ本発明の作用を示す第１、２説明図である。
【００２０】
図１及び図２に示す光る香水容器１０は、容器本体１１内にホルダー４０を備え、このホルダー４０に香水タンク５０を保持することにより、香水タンク５０を容器本体１１内に収容し、香水タンク５０の取出口５１にポンプ５２を介して取出ホース５４を連通させ、取出ホース５４の先端を容器本体１１の貫通孔１４に臨ませ、ポンプ５２の操作スイッチ２５を容器本体１１の表面に備えたものである。
【００２１】
光る香水容器１０は、容器本体１１の底部が平面状に形成され、容器本体１１のうちの少なくとも底部を除いた部位が光透過可能な素材で形成され、この容器本体１１内に光センサー３６が内蔵されるとともに、底部に形成された光取入孔２８に光センサー３６が臨ませられており、この光センサー３６の光検知信号に基づいて発光する発光体３５が容器本体１１に内蔵されている。
【００２２】
この光る香水容器１０によれば、容器本体１１の底部が平面状に形成されているので、容器本体を安定的に、最も美しい状態で化粧台等の上に載置できるようになる。
また、化粧台等に載置した状態から容器本体１１を持ち上げた際に、底部の光取入孔２８に差込む光を光センサー３６が検知し、この光センサー３６から発せられる検知信号に基づいて発光体３５が発光し、発光した光が容器本体１１を透過することで容器本体１１の全体又は一部を光らせることができる。
【００２３】
容器本体１１は、容器本体１１のうちの底部を除いた部位を構成する外装ケーシング１２と、底部を構成する底蓋２０とからなり、この底蓋２０が外装ケーシング１２に着脱自在に組み付け可能に構成されている。
さらに、容器本体１１は、外装ケーシング１２に底蓋２０を係止する際に、香水タンク５０を保持するホルダー４０が、その内部に備えられるような形態に構成されている。
【００２４】
外装ケーシング１２は、図２に示すように外形が略流線形に形成されるとともに、底部に開口１３が形成され、さらに先端に貫通孔１４が形成されている。開口１３には左右の係止溝１５及び後ろ係止溝１６がそれぞれ形成されている。
外装ケーシング１２の外形を略流線形に形成することで、容器本体１１を外観性に優れたものとすることができ、さらに、容器本体１１を手で掴みやすい形状にすることで、使い勝手に優れた光る香水容器１０が得られるようになる。
【００２５】
この外装ケーシング１２の開口１３には底蓋２０が着脱自在に係止されており、底蓋２０は、図１に示すように外装ケーシング１２に組み付けられた際には、外装ケーシング１２の内側に嵌合されるように、その外縁が略流線形に形成されている。
このように、底蓋２０を外装ケーシング１２の内側に組み付けることで、化粧台等に容器本体１１を載置した際には、底蓋２０を外装ケーシング２０で隠すことができ、光る香水容器１０の外観性をより一層高めることができる。
【００２６】
図２に示すように、底蓋２０の外縁には周壁２１が形成され、この周壁２１は外装ケーシング１２の開口１３に嵌入可能に形成されている。周壁２１には左右の嵌合開口２２及び後部嵌合開口２３及び前部嵌合開口２４が形成され、前部嵌合開口２４の上方には凹み２１ａが形成されている。
また、底蓋２０には、その前端部近傍にポンプ５２の操作スイッチ２５が設けられている。この操作スイッチ２５は、中央に円板状の操作ボタン２６を備え、この操作ボタン２６の周縁は可撓性の薄肉部２７で形成され、この薄肉部２７を介して操作ボタン２６が底蓋２０に連結されている。
【００２７】
図１、図４に示すように、薄肉部２７は断面湾曲状に形成されており、これにより操作ボタン２６を外装ケーシング１２に向けて押し込むことができる。
また、操作スイッチ２５を底蓋２０に設けることで、光る香水容器１０を化粧台に載置した際に、操作スイッチ２５を見えない状態に隠すことができる。これにより、香水容器１０の外観性を高め、デザイン性の向上を図ることができる。
【００２８】
さらに、底蓋２０の後端部近傍には光取入孔２８が形成されるとともに、底蓋２０から所定の間隔Ｓ１（図１参照）を存して取付プレート３０が取付けられている。取付プレート３０には電池収納部３１が形成され、この電池収納部３１には電池３２が収納されている。
この電池３２は、上端が電極板３３で押圧されることにより、電池収納部３１からの抜け出しが防止される。
【００２９】
取付プレート３０には、電池収納部３１の前方に発光ダイオード等の発光体３５が、一例として２個備えられるとともに、発光体３５とその反対側に光センサー３６が備えられている。
この光センサー３６を、底蓋２０の光取入孔２８に臨ませることで、光取入孔２８に入り込んだ光を光センサー３６で検知することができる。
【００３０】
電池３２、発光体３５及び光センサー３６は、それぞれ電気的に接続されているため、光センサー３６が光取入孔２８に差込む光を検知した際に、光センサー３６の検知信号に基づいて発光体３５が発光し、そこで発光した光が容器本体１１を透過して容器本体１１（特に、外装ケーシング１２）の外表面を光らせることができる。
【００３１】
底蓋２０の周壁２１には、ホルダー４０の枠体４１が嵌合されている。この枠体４１の外周には、左右の係止爪４２（右側のみ図示する）及び後ろ係止爪４３及び前係止爪４４が形成されている。
図２に示すように、左右の係止爪４２は、底蓋２０の左右の嵌合開口２２に嵌合された後、外装ケーシング１２の左右の係止溝１５に係止される。
【００３２】
また、後ろ係止爪４３は、底蓋２０の後部嵌合開口２３に嵌合された後、外装ケーシング１２の後ろ係止溝１６に係止される。さらに、前係止爪４４は、底蓋２０の前部嵌合開口２４に嵌合される。
これにより、外装ケーシング１２の開口１３内に底蓋２０が係止されて開口１３が閉塞され、外装ケーシング１２内にはホルダー４０が収納される。
なお、この際に、ノズル４７は凹み２１ａ内に入り込むこととなる。
【００３３】
このホルダー４０の前端には断面湾曲状に形成されたカバー４６が一体に形成され、カバー４６は光透過可能な素材で形成されている。このカバー４６には先端にノズル４７が形成され、ノズル４７は外装ケーシング１２の貫通孔１４に差し込まれる。
図１に示すように、ホルダー４０の後部には香水タンク５０が配置され、香水タンク５０の前端がカバー４６と底蓋２０とで挟持されている。
【００３４】
以上説明したように、容器本体１１は外装ケーシング１２と底蓋２０とから構成され、外装ケーシング１２に底蓋２０を係止した際に、外装ケーシング１２と底蓋２０との間にホルダー４０を固定し、このホルダー４０を介して香水タンク５０を容器本体１１の内部に収容できるように構成した。
【００３５】
このように、容器本体１１を外装ケーシング１２と底蓋２０とに分割することで、外装ケーシング１２に底蓋２０を組み付けた際に、ホルダー４０を容器本体１１内に備えられるようになり、さらにこのホルダー４０を介して香水タンク５０を容器本体１１内に確実に収容できるようになる。
【００３６】
ところで図１に示すように、香水タンク５０と外装ケーシング１２との間や、ホルダー４０と外装ケーシング１２との間には所定の隙間Ｓ２が形成されているので、外装ケーシング１２、香水タンク５０やホルダー４０等の各部材の製造公差をこの隙間Ｓ２で吸収することができる。
【００３７】
さらに、所定の隙間Ｓ２を形成することで、外装ケーシング１２に底蓋２０を組み付ける際に、底蓋２０を外装ケーシング１２に確実に押し込めるようになり、外装ケーシング１２に底蓋２０を組み付ける作業の容易性も確保されるようになる。
【００３８】
図４に示すように、香水タンク５０の取出口５１にはポンプ５２が取付けられ、ポンプ５２には連結部５３を介して取出ホース５４が連通され、この取出ホース５４の先端はノズル４７の噴霧口４８に差し込まれている。
【００３９】
また、カバー４６の内部には凹部４６ａが形成され、この凹部４６ａには略く字状のレバー５５の先端５５ａが回動可能に支持されている。このレバー５５は、その中央の折曲部５５ｂが操作ボタン２６に接触され、後端５５ｃが連結部５３に一体形成されている。
これにより図４に示すように、操作ボタン２６を押圧力Ｆで矢印のように外装ケーシング１２に向けて押し付けることにより、レバー５５の折曲部５５ｂが矢印のように移動する。
【００４０】
折曲部５５ｂが矢印のように移動すると、レバー５５の後端５５ｃを介して連結部５３が矢印の方向に移動する。これによりポンプ５２が作動して、香水タンク５０内の香水液がホース５７や取出ホース５４を通過し、ノズル４７の噴霧孔４８から矢印のように噴霧することができる。
香水液を所定量噴霧した後、操作ボタン２６から押圧力Ｆを取り除くと、ポンプ５２のリターンスプリング（図示せず）でポンプ５２を非作動状態に復帰させることができる。
【００４１】
次に、光る香水容器１０の作用を図５〜図６に基づいて説明する。
図５に示すように、容器本体１１を手６０で掴んで持ち上げることにより、図６に示すように容器本体１１の底蓋２０を化粧台等の表面６２から離すことができ、底蓋２０の光取入孔２８に差込む光を光センサー３６が検知し、光センサー３６の検知信号に基づいて発光体３５が発光する。
【００４２】
そして、発光した光（破線で示す矢印）６４が容器本体１１（外装ケーシング１２やカバー４６）を透過することで容器本体１１の全体又は一部を光らせることができる。
このように、容器本体１１の全体又は一部を光らせることで、従来のビンタイプの香水容器と比較して、斬新でかつ優れた機能性、デザイン性を確保することができる。
【００４３】
なお、前記実施の形態では、操作ボタン２６を円形に形成した円板とした例について説明したが、操作ボタン２６の形状はこれに限られず、例えば楕円等のその他の形状にすることも可能である。
また、前記実施の形態では、発光体３５を２個備えた例について説明したが、発光体３５の個数は任意に設定することができる。
【００４４】
さらに、発光体３５として発光ダイオードを使用した例について説明したが、発光ダイオードに限られず、その他の発光体を使用することも可能である。
また、前記実施形態では、外装ケーシング１２やホルダー４０のカバー４６を光透過可能な素材で形成した例について説明したが、これに限られずに、底蓋２０を光透過可能な素材で形成することも可能である。
【００４５】
【発明の効果】
以上述べたように、請求項１による光る香水容器によれば、光る香水容器を持ち上げた際に、光センサーが光を自動的に検知し、光センサーの検知信号に基づいて発光体が発光し、発光体の光で容器本体の全体又は一部が光るように構成されている。
これにより、香水容器を使用する際に、容器本体の全体が光るようになるため、従来のビンタイプの香水容器と比較して、画期的な光る香水容器とすることができ、機能性、デザイン性に優れた光る香水容器を提供することができるという効果がある。
【００４６】
請求項２は、容器本体の底部を平面状に形成することで、容器本体を安定的に、最も美しい状態で化粧台等の上に載置できるようになるという効果がある。
【００４７】
請求項３は、香水液を噴霧するためのポンプを操作するための操作スイッチを底部に設けることで、香水容器を化粧台に載置した際に、操作スイッチを外部から見えないように隠すことができる。これにより、香水容器の外観性を高め、機能性の向上、デザイン性の向上を図ることができ、容器本体が光る際の作動の正確性を確保できるという効果がある。
【００４８】
請求項４は、容器本体を外装ケーシングと底蓋とで構成し、外装ケーシングに底蓋を係止した際に、外装ケーシングと底蓋との間にホルダーを固定し、このホルダーに香水タンクを収容できるように構成した。
【００４９】
このように、容器本体を外装ケーシングと底蓋とに分割することで、外装ケーシングに底蓋を組み付ける際に、ホルダーを容器本体内に備えることができ、このホルダーに香水タンクを安定状態で確実に収容することができるので、香水容器の組み付けが確実かつ容易になり、全体の製造コストを抑えることができるという効果がある。
【００５０】
請求項５は、外装ケーシングと、香水タンク及びホルダーとの間に所定間隔の隙間を形成することで、外装ケーシング、香水タンクやホルダー等の各部材の製造公差をこの隙間で吸収することができる。
さらに、この隙間を形成することで、外装ケーシングに底蓋を組み付ける際に、外装ケーシングに底蓋を確実に押し込めるようになるため、外装ケーシングに底蓋を組み付ける作業を容易にできるという効果がある。
【００５１】
請求項６は、外装ケーシングを流線形に形成することで、光る香水容器を外観性に優れたものとすることができ、さらに手で掴みやすい形状にすることができるので、使い勝手に優れたものとなる効果がある。
【００５２】
請求項７は、底蓋を外装ケーシングの内側に組み付けることで、化粧台に香水容器を載置した際に、底蓋を外装ケーシングで隠すことができ、香水容器の外観性をより一層高めることができるという効果がある。
【図面の簡単な説明】
【図１】本発明に係る光る香水容器の縦断面図である。
【図２】本発明に係る光る香水容器の分解斜視図である。
【図３】本発明に係る光る香水容器の分解縦断面図である。
【図４】本発明に係る光る香水容器の作用を示す要部拡大図である。
【図５】本発明に係る光る香水容器の作用を示す第１説明図である。
【図６】本発明に係る光る香水容器の作用を示す第２説明図である。
【符号の説明】
１０…光る香水容器
１１…容器本体
１２…外装ケーシング
１３…開口
１４…貫通孔
１５…左右の係止溝
１６…後ろ係止溝
２０…底蓋
２１…周壁
２１ａ…凹み
２２…左右の嵌合開口
２３…後部嵌合開口
２４…前部嵌合開口
２５…操作スイッチ
２６…操作ボタン
２７…薄肉部
２８…光取入孔
３０…取付プレート
３１…電池収納部
３２…電池
３３…電極板
３５…発光体
３６…光センサー
４０…ホルダー
４１…枠体
４２…左右の係止爪
４３…後ろ係止爪
４４…前係止爪
４６…カバー
４６ａ…凹部
４７…ノズル
４８…噴霧口
５０…香水タンク
５１…取出口
５２…ポンプ
５３…連結部
５４…取出ホース
５５…レバー
５５ａ…先端
５５ｂ…折曲部
５５ｃ…後端
５７…ホース
６０…手
６２…化粧台等の表面
６４…光
Ｓ１…間隔
Ｓ２…隙間
【図１】
2004008480.tif 000003
【図２】
2004008480.tif 000004
【図３】
2004008480.tif 000005
【図４】
2004008480.tif 000006
【図５】
2004008480.tif 000007
【図６】
2004008480.tif 000008